(57)【要約】【課題】電食が発生するのを防止する。【解決手段】端子金具１０は、電線９０の端末にて露出された芯線部９３に圧着されるワイヤバレル１２と、その後方に位置して電線９０の絶縁被覆９２に圧着されるインシュレーションバレル１３とを備えている。ワイヤバレル１２の軸方向の両端部には、それぞれ、圧着される芯線部９３を縮径する向きに絞られた絞り部１８が設けられている。絞り部１８は、芯線部９３側へ突出するように叩き出され、かつワイヤバレル１２において軸方向と直交する向きに延出して形成されている。【選択図】図１
2010045007.tif 000002
【特許請求の範囲】
【請求項１】
電線の端末にて露出された芯線部に圧着されるワイヤバレルを備えた端子金具であって、
前記ワイヤバレルの軸方向の両端部には、それぞれ、圧着される前記芯線部を縮径する向きに絞られた絞り部が設けられていることを特徴とする端子金具。
【請求項２】
前記絞り部は、前記芯線部側へ突出するように叩き出され、かつ前記ワイヤバレルにおいて前記軸方向と直交する向きに延出して形成されている請求項１記載の端子金具。
【請求項３】
前記絞り部が前記芯線部の表面に食い込むような角張った形状の角部を有している請求項１又は２記載の端子金具。
【発明の詳細な説明】
【技術分野】
【０００１】
本発明は、端子金具に関する。
【背景技術】
【０００２】
特許文献１には、従来の端子金具が開示されている。これは、電線の端末に接続されるものであって、電線の端末にて露出された芯線部にかしめ付けられるワイヤバレルと、その後方に位置して電線の被覆部にかしめ付けられるインシュレーションバレルとを備えている。電線は、銅系金属からなる銅素線を撚り合わせて芯線を構成した銅電線によって構成されている。
【特許文献１】特開平１１−２１９７３５公報
【発明の開示】
【発明が解決しようとする課題】
【０００３】
ところで、軽量化などを目的に、銅電線に代わって、アルミニウム系金属からなるアルミニウム素線を撚り合わせて芯線を構成したアルミニウム電線を使用することがある。一方、端子金具は一般的に銅系金属からなるため、ワイヤバレルがアルミニウム素線からなる芯線部にかしめ付けられ、その接続面間に水分が含まれていると、接続面間で電流が流れて、電食が発生するおそれがある。
【０００４】
本発明は上記のような事情に基づいて完成されたものであって、電食が発生するのを防止することを目的とする。
【課題を解決するための手段】
【０００５】
上記の目的を達成するための手段として、請求項１の発明は、電線の端末にて露出された芯線部に圧着されるワイヤバレルを備えた端子金具であって、前記ワイヤバレルの軸方向の両端部には、それぞれ、圧着される前記芯線部を縮径する向きに絞られた絞り部が設けられている構成としたところに特徴を有する。
【０００６】
請求項２の発明は、請求項１に記載のものにおいて、前記絞り部は、前記芯線部側へ突出するように叩き出され、かつ前記ワイヤバレルにおいて前記軸方向と直交する向きに延出して形成されているところに特徴を有する。
【０００７】
請求項３の発明は、請求項１又は２に記載のものにおいて、前記絞り部が前記芯線部の表面に食い込むような角張った形状の角部を有しているところに特徴を有する。
【発明の効果】
【０００８】
＜請求項１の発明＞
ワイヤバレルの軸方向の両端部に、それぞれ、圧着される芯線部を縮径する向きに絞られた絞り部が設けられているから、絞り部と芯線部とが緊密に接触し合うこととなり、双方の接触面間を通してワイヤバレルの内部に水分が浸入するのが防止され、ひいては電食の発生が防止される。
【０００９】
＜請求項２の発明＞
絞り部が芯線部側へ突出するように叩き出され、かつワイヤバレルにおいて軸方向と直交する向きに延出して形成されているから、成形が容易であるとともに、ワイヤバレルの圧着に伴って端子金具及び電線が伸長するのが防止される。
【００１０】
＜請求項３の発明＞
芯線部にワイヤバレルが圧着されるに伴い、芯線部の表面に形成された酸化アルミニウムからなる絶縁性の酸化被膜が角部によって機械的に除去されるため、端子金具と電線との良好な接続状態が実現される。
【発明を実施するための最良の形態】
【００１１】
＜実施形態１＞
本発明の実施形態１を図１ないし図３によって説明する。実施形態１に係る端子金具１０は、銅又は銅合金からなる導電性の金属板材を曲げ加工などして一体に形成され、バッテリーなどに直結する各種電源線として配索される電線９０の端末に接続されたＬＡ端子として構成されている。
【００１２】
端子金具１０は、図３に示すように、その前端部に円環状の接続部１１を有し、接続部１１の後方にワイヤバレル１２を有し、ワイヤバレル１２の後方にインシュレーションバレル１３を有している。接続部１１には、スタッドボルトなどの相手側接続部を貫通可能な貫通孔１４が形成されている。また、端子金具１０には、接続部１１の後端から後方へと軸方向（前後方向）に延びる帯板状の基板部１５が、ワイヤバレル１２及びインシュレーションバレル１３に共用して形成されている。基板部１５の内面は電線９０を軸方向に沿って受ける支持面１５Ａとされている。
【００１３】
ワイヤバレル１２には基板部１５の幅方向（軸方向と直交する方向）両端から突出する一対の圧着片１６が形成されている。同じくインシュレーションバレル１３には基板部１５の幅方向両端から突出する一対のかしめ片１７が形成されている。圧着片１６及びかしめ片１７はいずれも矩形板状をなし、圧着片１６の前後長さはかしめ片１７の前後長さよりも長く、圧着片１６の突出長さはかしめ片１７の突出長さよりも短くされている。両圧着片１６は電線９０の端末にて露出された芯線部９３にかしめ付けられ、両かしめ片１７はその後方で電線９０の絶縁被覆９２にかしめ付けられるようになっている。
【００１４】
そして、ワイヤバレル１２には、その軸方向の両端部に、圧着時においてその内径を絞り込んだ形状をなす前後一対の絞り部１８が設けられている。この絞り部１８は、互いに同形状をなす前側絞り部１８Ｆ及び後側絞り部１８Ｒからなり、ワイヤバレル１２における両圧着片１６及び基板部１５を横切るようにして幅方向の全長に亘って細長く延出する形態をなしている。詳しくは絞り部１８は、図１及び図２に示すように、外側からの叩き出しによって芯線部９３を締め付ける向きである内側へ突出され、幅方向の全長に亘って断面コの字形（断面角Ｕの字形）に構成されている。より詳しくは絞り部１８は、その内側に、軸方向とほぼ平行に配置される内面２１と、その前後両端に連なって軸方向と直交する方向とほぼ平行に配置される一対の内側段差面２２と、これら内側段差面２２及び内面２１をほぼ直角に連ねる角張った形状の一対の角部２３とを有し、その外側に、内面２１とほぼ平行に配置される外面２４と、内側段差面２２とほぼ平行に配置される外側段差面２５と、これら外側段差面２５及び外面２４をほぼ直角に連ねる凹角部２６とを有している。ワイヤバレル１２の内側における前後の両絞り部１８Ｆ、１８Ｒ間には、絞り部１８よりも拡径された空間を保有して芯線部９３を水密状又は気密状に保つ保護領域１９が構成されている。
【００１５】
電線９０は、アルミニウム又はアルミニウムを多く含むアルミニウム合金からなるアルミニウム素線を撚り合せた芯線９１と、その周りを覆う樹脂製の絶縁被覆９２とによって構成されている。電線９０の端末には、絶縁被覆９２を切除することによって露出された芯線９１（本発明における「芯線部９３」）が配置されている。
【００１６】
次に本実施形態の作用を説明する。  
電線９０の芯線部９３に対してワイヤバレル１２を圧着するとともに、その後方において、電線９０の絶縁被覆９２に対してインシュレーションバレル１３を圧着する。このとき、絞り部１８が芯線部９３の断面積を小さくする向き、つまり絞り部１８が芯線部９３を縮径する向きに絞られた形状をなしていることに起因し、芯線部９３が絞り部１８に強く圧縮されて緊密に当接することとなる。ワイヤバレル１２の芯線部９３以外の保護領域１９では、芯線部９３に対して絞り部１８よりも軽いかしめ力ではあるが、適度なかしめ力をもって圧着される。また、ワイヤバレル１２が芯線部９３に圧着されることにより、芯線部９３の表面に形成された酸化アルミニウムからなる絶縁性の酸化被膜は絞り部１８の角部２３と当接してそのエッジ作用によって破壊される。
【００１７】
以上説明したように本実施形態によれば、ワイヤバレル１２の軸方向の両端部に、それぞれ、圧着される芯線部９３を縮径する向きに絞られた絞り部１８が設けられているから、絞り部１８と芯線部９３とが緊密に接触し合うこととなり、双方１８、９３の接触面間を通してワイヤバレル１２の内部である保護領域１９に水分が浸入するのが防止され、ひいては電食の発生が防止される。
【００１８】
また、絞り部１８が芯線部９３の配置された内側へ突出するように叩き出され、かつワイヤバレル１２において軸方向と直交する向きに延出して形成されているから、成形が容易であるとともに、ワイヤバレル１２の圧着に伴って端子金具１０及び電線９０が伸長するのが防止される。
【００１９】
さらに、芯線部９３にワイヤバレル１２が圧着されるに伴い、芯線部９３の表面に形成された絶縁性の酸化被膜が角部２３によって機械的に除去されるため、端子金具１０と電線９０との良好な接続状態が実現される。
【００２０】
＜他の実施形態＞
本発明は上記記述及び図面によって説明した実施形態に限定されるものではなく、例えば次のような実施形態も本発明の技術的範囲に含まれる。  
（１）端子金具は、接続部が雄タブを受ける箱型に形成された雌型端子金具であってもよい。  
（２）また、端子金具は、接続部が雄タブを有する雄型端子金具であってもよい。  
（３）また、端子金具は、ワイヤバレルが筒状の形状をなすクローズドバレル型であってもよい。  
（４）また、端子金具は、インシュレーションバレルを省略した形態であってもよい。
【図面の簡単な説明】
【００２１】
【図１】本発明の実施形態１に係り、電線の端末に接続された端子金具の断面図である。
【図２】端子金具の展開図である。
【図３】電線の端末に接続された端子金具の側面図である。
【符号の説明】
【００２２】
１０…端子金具
１２…ワイヤバレル
１３…インシュレーションバレル
１８…絞り部
２３…角部
９０…電線
９２…絶縁被覆
９３…芯線部
【図１】
2010045007.tif 000003
【図２】
2010045007.tif 000004
【図３】
2010045007.tif 000005